(57)【要約】【課題】外径の大きい電池（単２形）を収納する電池ケースに、外径の小さい電池（単３形）をアダプタなしで、位置ずれを生じずに収納する。【解決手段】前後左右の四枚の板バネ１３は先端部１４がケース本体１の中心方向に突出しており、保持具５は付勢バネ８で付勢され、保持具９は付勢バネ１２で付勢されて図（ロ）の位置にある。蓋部２を開け、単２形電池１８をケース本体１に挿入し、蓋部を閉じれば、板バネ１３は電池１８に押されて凹部１７内に収まり、付勢バネ８が縮んで保持具５が下方に、付勢バネ１２が縮んで保持具９が上方に動き、電池１８は図（イ）の如く収納される。単３形電池１９を挿入し蓋部を被せると、電池１９で押されて板バネが広がり、電池１９の下端部は保持具５の凹部６に、上端部は保持具９の凹部１０に遊嵌され、電池１９は図（ロ）の如くに収納される。【選択図】  図１
2004172023.tif 000002
【特許請求の範囲】
【請求項１】
軸長が略同一で外径寸法の異なる二種類の電池が択一的に収納可能な電池ケースであって、前記電池を縦にして出し入れ可能な開放口を備えた有底状のケース本体と、前記開放口を覆う蓋体と、前記ケース本体の底部内面および蓋体の上部内面にそれぞれ電池の電極に対応させて具備された接触端子と、前記ケース本体の底部内に上下に摺動可能に設けられ、上面に外径の小さい方の前記電池を遊嵌する凹部が形成され、同凹部の中心に穿設された孔に前記ケース本体内の接触端子が遊嵌され、付勢バネで上方に付勢される第１保持具と、前記蓋部内に上下に摺動可能に設けられ、下面に外径の小さい方の前記電池を遊嵌する凹部が形成され、同凹部の中心に穿設された孔に前記蓋部内の接触端子が遊嵌され、付勢バネで下方に付勢される第２保持具とで構成し、外径寸法の大きい方の電池を収納する場合は、同電池により前記第１保持具が押下げられると共に、前記第２保持具が押上げられることにより同電池が収納され、外径寸法の小さい方の電池を収納する場合は、同電池の下端部が前記第１保持具の凹部に遊嵌し、上端部が前記第２保持具の凹部に遊嵌されることにより同電池が収納されるようにしたことを特徴とする電池ケース。
【請求項２】
前記ケース本体の前後左右の各内側面に、先端部が同ケース本体の中心方向に突出し、上方からの押圧により同先端部がそれぞれ内側面方向に撓む板バネを取付け、外径寸法の大きい方の電池が収納された場合は前記各板バネが同電池の押圧により撓み、同電池が収納され、外径寸法の小さい方の電池が収納された場合は同電池は側面が前記各板バネにより四方から挟持されるようにしたことを特徴とする請求項１記載の電池ケース。
【請求項３】
前記ケース本体の左右の内側面に回動可能に軸支され、円弧状の内径部で外径の小さい方の前記電池の側面を遊挟するコ字状の二つのガイド板を設け、二つの同ガイド板をそれぞれ軸支部に設けたバネにより前記内側面と直角になるように付勢させて構成し、外径寸法の大きい方の電池が収納された場合は二つの前記ガイド板が同電池の押圧により下方に回動し、同電池が収納され、外径寸法の小さい方の電池が収納された場合は二つの同ガイド板は前記バネにより前記内側面と直角をなす位置に回動され、円弧状の内径部で同電池が遊挟されるようにしたことを特徴とする請求項１記載の電池ケース。
【発明の詳細な説明】
【０００１】
【発明の属する技術分野】
本発明は電池ケースに係わり、軸長が略同一で外径寸法の異なる二種類の電池を択一的に収納可能なものに関する。
【０００２】
【従来の技術】
通常、電池ケースは収納する電池の外径寸法に合わせて収納部を形成しているため、外径寸法の異なる電池は収納できず、例えば、緊急時に手元に同じ外径寸法の電池がない場合は使用できない。このため、外径寸法の違い電池でも収納できるようにしたものがある。例えば、図５の要部断面図に示すように、電池（外径寸法が大または小の何れでも）を電池ケース３１の中央に挿着するものとし、電池ケース３１の左右両側からガイド棒３３で案内されたクリップ３２をコイルバネ３４で付勢させて設け、このクリップ３２で電池１８（単２形）または１９（単３形）を挟持するようにしたもの（例えば、特許文献１参照）があるが、この場合、電池ケース３１を横に倒したとき電池の重量でコイルバネ３４が伸縮し、電池１８または１９の位置が横にずれ、電池の電極が接触端子から外れるという問題があった。
また、電池ケースを、外径の大きい方の電池が入る内径寸法の円筒形状とし、図６に示す如く、外径寸法ａが外径の大きい方の電池と同じ寸法で内径寸法ｂを外径の小さい方の電池の寸法に合わせた円筒状のアダプタ４１を設け、外径の小さい方の電池の場合は電池をアダプタ４１に挿着して電池ケースに収納するようにしたもの（例えば、特許文献２参照）があるが、この場合、アダプタ４１を具備し保管しておかなければならず、アダプタ４１を紛失したり保管場所がわからない等の場合に用をなさないという問題があった。
【０００３】
【特許文献１】
特開平９−８２２９５号公報（第２−３頁、図１、図２）
【特許文献２】
特開平９−１３４７１３号公報（第２−３頁、図１（ｃ），（ｄ）  ）
【０００４】
【発明が解決しようとする課題】
本発明は以上述べた問題点を解決し、外径の小さい方の電池を収納する場合に電池ケースをいかなる方向に向けても収納した電池の位置がずれて電極が接触端子から外れることがなく、または外径の小さい電池をアダプタを用いることなく収納できる電池ケースを提供することを目的とする。
【０００５】
【課題を解決するための手段】
本発明は上述の課題を解決するため、軸長が略同一で外径寸法の異なる二種類の電池が択一的に収納可能な電池ケースであって、前記電池を縦にして出し入れ可能な開放口を備えた有底状のケース本体と、前記開放口を覆う蓋体と、前記ケース本体の底部内面および蓋体の上部内面にそれぞれ電池の電極に対応させて具備された接触端子と、前記ケース本体の底部内に上下に摺動可能に設けられ、上面に外径の小さい方の前記電池を遊嵌する凹部が形成され、同凹部の中心に穿設された孔に前記ケース本体内の接触端子が遊嵌され、付勢バネで上方に付勢される第１保持具と、前記蓋部内に上下に摺動可能に設けられ、下面に外径の小さい方の前記電池を遊嵌する凹部が形成され、同凹部の中心に穿設された孔に前記蓋部内の接触端子が遊嵌され、付勢バネで下方に付勢される第２保持具とで構成し、外径寸法の大きい方の電池を収納する場合は、同電池により前記第１保持具が押下げられると共に、前記第２保持具が押上げられることにより同電池が収納され、外径寸法の小さい方の電池を収納する場合は、同電池の下端部が前記第１保持具の凹部に遊嵌し、上端部が前記第２保持具の凹部に遊嵌されることにより同電池が収納されるようにする。
【０００６】
また、前記ケース本体の前後左右の各内側面に、先端部が同ケース本体の中心方向に突出し、上方からの押圧により同先端部がそれぞれ内側面方向に撓む板バネを取付け、外径寸法の大きい方の電池が収納された場合は前記各板バネが同電池の押圧により撓み、同電池が収納され、外径寸法の小さい方の電池が収納された場合は同電池は側面が前記各板バネにより四方から挟持されるようにする。
【０００７】
または、前記ケース本体の左右の内側面に回動可能に軸支され、円弧状の内径部で外径の小さい方の前記電池の側面を遊挟するコ字状の二つのガイド板を設け、二つの同ガイド板をそれぞれ軸支部に設けたバネにより前記内側面と直角になるように付勢させて構成し、外径寸法の大きい方の電池が収納された場合は二つの前記ガイド板が同電池の押圧により下方に回動し、同電池が収納され、外径寸法の小さい方の電池が収納された場合は二つの同ガイド板は前記バネにより前記内側面と直角をなす位置に回動され、円弧状の内径部で同電池が遊挟されるようにする。
【０００８】
【発明の実施の形態】
以下、図面に基づいて本発明による電池ケースを詳細に説明する。
図１は本発明による電池ケースの一実施例を示す要部側断面図で、軸長が略同じで外径寸法の異なる単２形電池（大きい方の電池）と単３形電池（小さい方の電池）を択一的に収納できるもので、（イ）は単２形電池収納時、（ロ）は単３形電池収納時を示す。図において、１は電池ケースのケース本体、２は蓋体、３は−電極の接触端子、４は＋電極の接触端子、５は第１保持具、６は第１保持具５の上面の凹部、７は第１保持具５の凹部の中心に穿設した孔、８は付勢バネ、９は第２保持具、１０は第２保持具９の下面の凹部、１１は第２保持具９の凹部の中心に穿設した孔、１２は付勢バネ、１３は板バネ、１４は板バネ１３の先端部、１５はケース本体１の突出部、１６は蓋体２の突出部、１７はケース本体１の凹部、１８は単２形電池、１９は単３形電池である。
図２は図１（イ）、（ロ）のそれぞれＡ−Ａ′矢視断面図である。
【０００９】
図３は本発明による電池ケースの他の実施例を示す要部側断面図で、軸長が略同じで外径寸法の異なる単２形電池（大きい方の電池）と単３形電池（小さい方の電池）を択一的に収納できるもので、（イ）は単２形電池収納時、（ロ）は単３形電池収納時を示しており、２１はケース本体、２２は蓋部、２３はガイド板、２４はガイド板２３の支軸、２５は円弧状の内径部、２６はバネ、２７はケース本体２１の突出部、２８は蓋部２２の突出部、２９はケース本体２１の凹部で、その他の符号は図１、２と同じである。
図４は図３（イ）、（ロ）のそれぞれＢ−Ｂ′矢視断面図である。
【００１０】
以上の構成において、次にその動作を説明する。
図１、２の場合、第１保持具５は、外側がケース本体１内の突出部１５と、中心の孔７が接触端子３（円柱状）とそれぞれ接し、上下に摺動できるもので、電池が収納されていない場合、第１保持具５は付勢バネ８（コイル状のバネ）で上方に付勢され、下端の突出部がケース本体１の突出部１５の下面部に当接する位置に押上げられており（図１・ロの位置）、第２保持具９は、外側が蓋体２の突出部１６と、中心の孔１１が接触端子４（円柱状）とそれぞれ接し、上下に摺動できるもので、電池が収納されていない場合、第２保持具９は付勢バネ１２で下方に付勢され、上端の突出部が蓋部２の突出部１６の上面部に当接する位置に押下げられており（図１・ロの位置）、さらに、四枚の板バネ１３は、先端部１４がケース本体１の中心に向いている。
【００１１】
単２形の電池１８を収納する場合、ケース本体１の開放口から電池１８を縦に挿入し、蓋体２を被せる。四枚の板バネ１３は電池１８の押圧で押し広げられ、凹部１７内に収まる。そして、第１保持具５は電池１８の底面で押され、付勢バネ８が縮んで押下げられ、第２保持具９は電池１８の上面で押され、付勢バネ１２が縮んで押上げられ、これにより、電池１８は図１、２の（イ）に示す如くに電池ケース内に収まる。電池１８は周囲がケース本体１の内面に接して安定し、電池ケースをどのような向きにしても電池１８は殆ど動かず、電極は接触端子３、４から外れない。
単３形の電池１９を収納する場合、電池１９をケース本体１に挿入すれば、電池１９は四枚の板バネ１３のバネ圧で側方から挟持され、第１保持具５は付勢バネが伸びているので上面の凹部６に電池１９の底部が遊嵌され、第２保持具９は付勢バネ１２が伸びているので下面の凹部１０に電池１９の上部が遊嵌され、これにより、電池１９は図１、２の（ロ）に示す如く、上下部分が第１、第２保持具５、９に遊嵌され、さらに、四枚の板バネ１３で四方から挟まれて安定し、電池ケースをどのような向きにしても電池１９は殆ど動かず、電極は接触端子３、４から外れない。
【００１２】
図３、４の場合、第１保持具５とケース本体２１の構造および相互関係と、第２保持具９と蓋部２２の構造および相互関係はそれぞれ図１の場合と同じである。そして、電池が収納されていない場合、第１保持具５は付勢バネ８で上方に付勢され、下端の突出部がケース本体２１の突出部２７の下面部に当接する位置に押上げられ（図３・ロの位置）、第２保持具９は付勢バネ１２で下方に付勢され、上端の突出部が蓋部２２の突出部２８の上面部に当接する位置に押下げられており（図３・ロの位置）、左右のガイド板２３は、支軸２４の部分に装備されたバネ２６によりケース本体２１の左右側面と直角の向きに付勢されている（図３・ロの位置）。
【００１３】
単２形の電池１８を収納する場合、ケース本体２１の開放口から電池１８を縦に挿入し、蓋体２２を被せる。これにより、電池１８の押圧でガイド板２３が支軸２４を軸にして下方に回動して凹部２９に収まる。そして、電池１８の底面で第１保持具５が押され、付勢バネ８が縮んで押下げられ、電池１８の上面で第２保持具９が押され、付勢バネ１２が縮んで押上げられ、これにより、電池１８は図３、４の（イ）に示す如くに電池ケース内に収納される。電池１８は周囲がケース本体２１の内面に接して安定し、電池ケースをどのような向きにしても電池１８は殆ど位置が動かず、電極は接触端子３、４から外れることがない。
単３形の電池１９を収納する場合、ケース本体２１に電池１９を挿入すれば、電池１９は二つのガイド板２３の円弧状の内径部２５を通り、電池１９の下端部分が第１保持具５の上面の凹部６に嵌まり、蓋体２２を被せることにより第２保持具９の下面の凹部１０が電池１９の上端部分に遊嵌し、これにより、電池１９は図３、４の（ロ）に示す如く、上下部分が第１、第２保持具５、９に遊嵌され、かつ、胴体の中間部分がガイド板２３で遊挟されて安定し、電池ケースをどのような向きにしても電池１９は殆ど位置が動かず、電極は接触端子３、４から外れることがない。
【００１４】
なお、上記では単２形電池または単３形電池を一本収納するもので説明したが、複数個を連結させて形成して使用することができる。この場合、緊急時には短時間であれば単２形と単３形の電池を混用することも可能となる。
【００１５】
【発明の効果】
以上に説明したように、本発明による電池ケースによれば、電池ケースの内径は単２形電池（外径寸法の大きい方の電池）を収納する寸法になっており、電池は周囲を電池ケースの内面で保持され、安定した状態で収納される。また、単３形電池（外径寸法の小さい方の電池）を収納する場合、電池を電池ケースに挿入し、蓋を被せると、電池の上端部と下端部にそれぞれ保持具の凹部が遊嵌し、さらに、胴体の中間部が四方から板バネで挟持されるか、またはケース本体内の両側から内径部が円弧状に形成されたガイド板が回動し、この円弧状の内径部で電池が遊挟されるものであるから、電池ケースをいかなる方向に向けても単２形電池は殆ど動くことがなく、電極が接触端子から外れることがない。従って、従来のように別にアダプタを具備する必要もなく、緊急の場合に単３形電池を単２形電池の代わりに即時使用することができる利便性の高いものである。
【図面の簡単な説明】
【図１】本発明による電池ケースの一実施例の要部側断面図で、（イ）は単２形電池収納時、（ロ）は単３形電池収納時を示す。
【図２】図１のＡ−Ａ′矢視断面図である。
【図３】本発明による電池ケースの他の実施例の要部側断面図で、（イ）は単２形電池収納時、（ロ）は単３形電池収納時を示す。
【図４】図３のＢ−Ｂ′矢視断面図である。
【図５】従来の電池ケースの一例の要部断面図である。
【図６】従来の電池ケースのアダプタの一例を示す図である。
【符号の説明】
１、２１  ケース本体
２、２２  蓋部
３  −電極用接触端子
４  ＋電極用接触端子
５  第１保持具
６、１０  凹部
７、１１  孔
８、１２  付勢バネ
９  第２保持具
１３  板バネ
１４  板バネの先端部
１５、１６、２６、２７  突出部
１７  凹部
１８  単２形電池
１９  単３形電池
２３  ガイド板
２４  支軸
２５  内径部
２６  バネ
３１  電池ケース
３２  クリップ
３３  ガイド棒
３４  コイルバネ
４１  アダプタ
【図１】
2004172023.tif 000003
【図２】
2004172023.tif 000004
【図３】
2004172023.tif 000005
【図４】
2004172023.tif 000006
【図５】
2004172023.tif 000007
【図６】
2004172023.tif 000008